(57)【要約】【課題】裸眼３Ｄ表示装置用のバックライトとして好適な面状照明装置において、クロストークを低減することを可能とする。【課題を解決するための手段】面状照明装置１０は、互いに対向する２つの側端面１３、１５を入光面とし、互いに対向する２つの主面１９、２０のいずれか一方を出射面１９とする導光板１２と、導光板１２の２つの入光面１３、１５に沿ってそれぞれ配置され、交互に点灯される一対の光源１７、１８とを備えており、導光板１２の出射面１９に対向する主面２０の入光面１３、１５寄りの領域に、光吸収体３２、３４が形成されていることによって、クロストークの要因となる光を光吸収体３２、３４によって吸収する。【選択図】図１
2013089559.tif 000002
【特許請求の範囲】
【請求項１】
互いに対向する２つの側端面を入光面とし、互いに対向する２つの主面のいずれか一方を出射面とする導光板と、該導光板の２つの入光面に沿ってそれぞれ配置され、交互に点灯される一対の光源とを備える面状照明装置であって、前記導光板のいずれか一方または両方の主面の入光面寄りの領域に、光吸収体が形成されていることを特徴とする面状照明装置。
【請求項２】
前記光吸収体は、前記導光板の入光面の長手方向と平行に延びる帯状に形成されていることを特徴とする請求項１に記載の面状照明装置。
【請求項３】
前記光吸収体は、前記導光板の出射面の導光方向中央部に設けられる有効出射領域よりも入光面寄りの領域に形成されていることを特徴とする請求項１または２に記載の面状照明装置。
【請求項４】
前記導光板の出射面側に、両面プリズムシートが配置されていることを特徴とする請求項１から３のいずれか１項に記載の面状照明装置。
【発明の詳細な説明】
【技術分野】
【０００１】
本発明は、液晶表示装置のバックライト、特に、裸眼３Ｄ表示システムに用いられる液晶表示装置用のバックライトとして好適な面状照明装置に関する。
【背景技術】
【０００２】
近年、表示装置の視覚者が、眼鏡等の専用の器具を使用することなく、立体（３Ｄ）画像を視認することが可能な裸眼３Ｄ表示装置が注目されている。従来、このような裸眼３Ｄ表示装置において、液晶表示装置に表示される左眼用画像及び右眼用画像を、バックライトからの照明光の配光制御によって、それぞれ左眼のみ及び右眼のみに供給し、それによって、裸眼３Ｄ表示を実現する技術が提案されている（例えば、特許文献１参照）。
【０００３】
このような表示装置１１０は、図２に示すように、液晶ディスプレイパネル１２０、液晶ディスプレイパネル１２０に光を供給するバックライト１３０、液晶ディスプレイパネル１２０とバックライト１３０との間に配置された両面プリズムフィルム１４０を含む。バックライト１３０は、導光板１２５と、導光板１２５の第１の光入力面１３１に配置された右眼用画像固体光源１３２と、第２の光入力面１３３に配置された左眼用画像固体光源１３４を含む。また、導光板１２５の裏面１３６には、その全面に光路変更手段としてリニアプリズムが形成されている。
【０００４】
両面プリズムフィルム１４０は、導光板１２５の光出力面１３５側の面に、第１、第２の光入力面１３１、１３３と略平行に延びる三角プリズム列を備え、ディスプレイパネル１２０側の面に、第１、第２の光入力面１３１、１３３と略平行に延びる円筒レンズ列を備えており、この構成をもって、第１の光入力面１３１から導光板１２５に入射して光出力面１３５から出射した光の方向を、視覚者の右眼方向に変換し、第２の光入力面１３３から導光板１２５に入射して光出力面１３５から出射した光の方向を、視覚者の左眼方向に変換するように機能する。
【０００５】
そして、表示装置１１０は、ディスプレイパネル１２０に右眼用画像と左眼用画像を交互に表示するとともに、右眼用画像の表示時には、右眼用画像固体光源１３２を点灯（同時に、左眼用画像固体光源１３４を消灯）し、左眼用画像の表示時には、左眼用画像固体光源１３４を点灯（同時に、右眼用画像固体光源１３２を消灯）することによって、視覚者の右眼及び左眼に、それぞれ右眼用画像及び左眼用画像を選択的に供給するものである。尚、表示装置１１０は、このような動作を可能にするための同期駆動素子１５０及び画像ソース１６０を備えている。
【０００６】
尚、図２に示すようなバックライト１３０では、多くの場合、照明光の輝度の均一性を向上させるため、光出力面１３５のうち、輝度が著しく高い領域（輝線）の発生等により輝度が不均一になり易い光入力面１３１、１３３近傍を非有効出射領域として遮光し、比較的輝度の均一な中央部を有効出射領域として、有効出射領域からの出射光のみを照明光として利用することが行われる。
【先行技術文献】
【特許文献】
【０００７】
【特許文献１】特表２０１０−５４１０２０号公報
【発明の概要】
【発明が解決しようとする課題】
【０００８】
ここで、裸眼３Ｄ用表示装置には、一般に、右眼用画像と左眼用画像の分離が完全には行われず、右眼用画像がある程度の明るさで視覚者の左眼に供給され、また、左眼用画像がある程度の明るさで視覚者の右眼に供給されるといった、所謂クロストークの問題があることが知られている。
【０００９】
例えば、表示装置１１０では、右眼用画像固体光源１３２から第１の光入力面１３１を通じて導光板１２５に入射した光の一部が、光出力面１３５から出射されないまま第２の光入力面１３３に到達し、そこで反射された後に光出力面１３５から出射されることにより、その出射光の出射方向が、視覚者の左眼方向に変換される場合がある。このような事象（及び、左眼用画像固体光源１３４から第２の光入力面１３３を通じて導光板１２５に入射した光についての対称な事象）が、クロストークの一因として挙げられる。
このようなクロストークが発生すると、画像の立体感が損なわれるため、立体画像の表示品位を向上させるためには、クロストークを低減可能であることが望ましい。
【００１０】
本発明は、上記課題に鑑み、裸眼３Ｄ表示装置用のバックライトとして好適な面状照明装置において、クロストークを低減可能な面状照明装置を提供することを目的とする。
【課題を解決するための手段】
【００１１】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【００１２】
（１）互いに対向する２つの側端面を入光面とし、互いに対向する２つの主面のいずれか一方を出射面とする導光板と、該導光板の２つの入光面に沿ってそれぞれ配置され、交互に点灯される一対の光源とを備える面状照明装置であって、前記導光板のいずれか一方または両方の主面の入光面寄りの領域に、光吸収体が形成されていることを特徴とする面状照明装置（請求項１）。
【００１３】
本項に記載の面状照明装置によれば、導光板のいずれか一方または両方の主面の入光面寄りの領域に光吸収体が形成されていることによって、一方の入光面から導光板に入射した後に、出射面から出射されないまま他方の入光面に向かって導光される光の少なくとも一部を、他方の入光面に到達する前に、他方の入光面寄りの領域に形成された光吸収体で吸収することによって、他方の入光面で反射された後に出射面から出射してクロストークの要因となる光を減少させ、クロストークを低減することが可能となる。
【００１４】
（２）（１）項に記載の面状照明装置において、前記光吸収体は、前記導光板の入光面の長手方向と平行に延びる帯状に形成されていることを特徴とする面状照明装置（請求項２）。
本項に記載の面状照明装置によれば、光吸収体が、導光板の入光面の長手方向と平行に延びる帯状に形成されていることによって、クロストークの要因となる光を効果的に吸収することが可能となる。
【００１５】
（３）（１）または（２）項に記載の面状照明装置において、前記光吸収体は、前記導光板の出射面の導光方向中央部に設けられる有効出射領域よりも入光面寄りの領域に形成されていることを特徴とする面状照明装置（請求項３）。
【００１６】
本項に記載の面状照明装置では、導光板の主面の導光方向中央部に設けられる有効出射領域よりも入光面寄りの領域に光吸収体が形成されていることによって、クロストークの要因となる光を効果的に吸収することが可能となる。
【００１７】
加えて、本項に記載の面状照明装置では、有効出射領域よりも入光面寄りの領域に光吸収体が形成されているため、一方の入光面から導光板に入射した直後に、導光板のいずれか一方または両方の主面の、その一方の入光面寄りの領域に形成された光吸収体に到達する光は、主として、このような光吸収体がない場合に、導光板の主面の有効出射領域よりも入光面寄りの領域である非有効出射領域から出射されて、その領域に、輝度が著しく高い領域（輝線）を発生させる要因となる光である。
【００１８】
したがって、本項に記載の面状照明装置では、このような輝線発生の要因となる光を吸収することにより、導光板からの出射光の輝度の均一性を向上させることが可能となり、ひいては、導光板の出射面に所定の長さの有効出射領域を確保するために必要な導光板の全長を短縮することが可能であるため、面状照明装置の小型化に寄与するものである。
【００１９】
さらに、従来の面状照明装置では、通常、導光板の出射面の非有効出射領域上に遮光手段等を講じることにより、非有効出射領域からの出射光は、そもそも照明光として利用されていない。したがって、本項に記載の面状照明装置において、一方の入光面から導光板に入射した直後に、導光板のいずれか一方または両方の、その一方の入光面寄りの領域に形成された光吸収体によって吸収される光が存在しても、そのような光の吸収は、有効出射領域から出射される照明光の輝度に対して殆ど影響を与えない。
【００２０】
このように、本項に記載の面状照明装置における光吸収体は、光源からの出射光が導光板に入射した後に、導光板内を導光される光から、主としてクロストークの要因となる光と元々照明光として利用できない光とを選択的に吸収するように作用するものであり、これによって、従来の面状照明装置と比較して照明光の輝度を殆ど低下させることなく、クロストークを低減させることが可能となるとともに、輝度の均一性を向上させるものである。
【００２１】
（４）（１）〜（３）のいずれか１項に記載の面状照明装置において、前記導光板の出射面側に、両面プリズムシートが配置されていることを特徴とする面状照明装置（請求項４）。
【発明の効果】
【００２２】
本発明に係る面状照明装置は、以上のように構成したことにより、裸眼３Ｄ表示装置用のバックライトとして好適な面状照明装置において、クロストークを低減することが可能となる。
【図面の簡単な説明】
【００２３】
【図１】（ａ）は、本発明の一実施形態における面状照明装置の要部を示す側面図であり、（ｂ）は、（ａ）に示す面状照明装置の導光板を示す側面図である。
【図２】従来の裸眼３D表示システムの一例を示す側面図である。
【発明を実施するための形態】
【００２４】
以下、本発明の実施の形態を添付図面に基づいて説明する。尚、面状照明装置の全体または部分を示す図は、説明のために特徴を強調して示す模式図であって、図示された各部分の相対的な寸法は、必ずしも実際の縮尺を反映するものではない。
【００２５】
図１（ａ）は、本発明の一実施形態における面状照明装置の要部を示す側面図である。
図１（ａ）に示す面状照明装置１０は、導光板１２と、光源１７、１８とを備えるサイドライト型の面状照明装置である。導光板１２は、互いに対向する２つの主面のうちの一方を出射面１９とする板状の導光体であり、互いに対向する２つの側端面が入光面１３、１５として用いられ、各入光面１３、１５に沿って、それぞれ光源１７、１８が配置されている。
【００２６】
本実施形態において、光源１７、１８は、それぞれ入光面１３、１５の長手方向に沿って配列された複数の発光ダイオードからなる。また、面状照明装置１０において、導光板１２の出射面１９側には、両面プリズムシート１４が配置され、導光板１２の出射面１９と対向する主面（裏面）２０側には、光学シート１６として、反射シート（例えば、反射率９８％以上）が配置されている。
【００２７】
ここで、導光板１２は、メタクリル樹脂やポリカーボネート樹脂等の透明樹脂材料を成形してなり、入光面１３、１５を通じて導光板１２へと入射した光を、出射面１９と裏面２０との間で全反射を繰返しつつそれぞれ対向する入光面１５、１３側へ向けて伝播させ、その過程で、伝播光を出射面１９から均一に出射させるものである。この意味で、面状照明装置１０において、導光板１２の入光面１３、１５に直交する方向（図１において、紙面左右方向）を導光方向という。
【００２８】
また、以下の説明において、導光板１２の各構成要素について、導光方向の長さを単に「長さ」ともいい、主面（出射面１９、裏面２０）と平行な平面内の導光方向に直交する方向（図１において、紙面に垂直な方向）の長さ、及び、導光板１２の主面に直交する方向（図１において、紙面上下方向）の長さを、それぞれ「幅」及び「厚み」ともいう。
【００２９】
面状照明装置１０は、図２を参照して上述したような裸眼３Ｄ表示装置における液晶パネルのバックライトとして好適に用いられるものであり、その両面プリズムシート１４は、例えば、図２に示す両面プリズムフィルム１４０と同様の構成を備えるものである。但し、本発明は、両面プリズムシート１４の構成によって限定されるものではなく、両面プリズムシート１４は、両面プリズムフィルム１４０と同様の機能を果たす限り、任意の適切な構成とすることができる。
【００３０】
そして、面状照明装置１０の出射面１９は、図１（ｂ）に示すように、導光方向中央部に設けられ、所定の長さＹを有する有効出射領域２８と、それぞれ有効出射領域２８の外側（入光面１３側及び入光面１５側）に設けられた非有効出射領域２６からなる。有効出射領域２８と非有効出射領域２６は、輝度の均一性に基づいて設定され、比較的輝度の均一な有効出射領域２８からの出射光のみが照明光として利用される。ここで、導光板１２の全長をＸとすると、非有効出射領域２６の長さＺは、「（Ｘ−Ｙ）／２」である。
【００３１】
また、面状照明装置１０の裏面２０は、導光方向中央部に設けられ、所定の長さＡを有し、光路変更手段（図示は省略する）が形成されたセンター領域２４と、それぞれセンター領域２８の外側（入光面１３側及び入光面１５側）に位置し、光路変更手段が形成されていないサイド領域２２とからなる。
【００３２】
センター領域２４に形成される光路変更手段は、入光面１３、１５を通じて導光板１２に入射し、裏面２０のセンター領域２４に到達した光を、主として出射面１９の有効出射領域２８へ向けて反射し、臨界角以下の入射角でもって出射面１９に到達させることによって、伝播光を出射面１９の有効出射領域２８から均一に出射させるとともに、その出射光をそれぞれ適切な入射角でもって両面プリズムシート１４に入射させるものである。
【００３３】
このような光路変更手段は、典型的には、図２に示す導光板１２５の裏面１３６に形成されるリニアプリズムと同様に、入光面１３、１５と略平行に延びる複数のリニアプリズムからなり、好ましくは、その延在方向に垂直な断面が、比較的大きい頂角（例えば、１６０°以上）を有する三角形からなるものである。
【００３４】
一方、サイド領域２２は、センター領域２４側から各入光面１３、１５まで、導光方向に所定の長さＢを有する領域（以下、Ｂ領域ともいう）２２ｂ、所定の長さＣを有する領域（以下、Ｃ領域ともいう）２２ｃ、及び、所定の長さＤを有する領域（以下、Ｄ領域ともいう）２２ｄに分けられ、各入光面１３、１５寄りのサイド領域２２に含まれるＣ領域２２ｃには、それぞれ光吸収体３２、３４が形成されている。これらの光吸収体３２、３４は、入光面１３、１５の長手方向（図１において、紙面に直交する方向）に平行に延びる帯状に形成されており、その延在範囲は、典型的には、導光板１２の全幅にわたるものである。
【００３５】
光吸収体３２、３４は、例えば、裏面２０のＣ領域２２ｃに黒色印刷を施すかまたは黒色塗料を塗布することによって形成されるものであってもよい。あるいは、黒色ＰＥＴフィルム等の黒色基材を含む黒色部材を、Ｃ領域２２ｃに配置することによって形成されるものであってもよく、その際、接着剤または粘着剤等により黒色部材をＣ領域２２ｃに固着するものであってもよい。また、使用される黒色部材は、複数の黒色基材層を接着層（または粘着層）を介して積層配置した多層構造を有するものであってもよい。
【００３６】
さらに、黒色部材をＣ領域２２ｃに接着または粘着する場合には、その接着剤または粘着剤に黒色顔料等を混入することにより、黒色部材と接着層または粘着層とで光吸収体３２、３４を構成するものであってもよい。あるいは、黒色部材を配置することなく、光学シート１６を導光板１２の裏面２０に接着または粘着して固定する場合には、光学シート１６と導光板１２の裏面２０との間に介在する接着剤または粘着剤のうち、Ｃ領域２２ｃに適用される部分に用いられる接着剤または粘着剤を、黒色顔料等を混入させたものとすることにより、このような接着剤または粘着剤によって光吸収体３２、３４を構成するものであってもよい。
【００３７】
ここで、サイド領域２２の長さ「Ｂ＋Ｃ＋Ｄ」は、導光板１２の全長をＸとすると、「（Ｘ−Ａ）／２」である。但し、面状照明装置１０において、サイド領域２２は、Ｂ領域２２ｂの長さＢ及びＤ領域の長さＤのいずれか一方または両方を０とするものであってもよい。言い換えれば、サイド領域２２は、Ｂ領域２２ｂとＣ領域２２ｃのみからなる場合、Ｃ領域２２ｃとＤ領域２２ｄのみからなる場合、及び、Ｃ領域２２ｃのみからなる場合を含むものである。
【００３８】
さらに、面状照明装置１０において、各入光面１３、１５寄りのサイド領域２２に形成される光吸収体３２、３４は、それぞれ有効出射領域２８よりも各入光面１３、１５寄りの領域に形成されている。言い換えれば、各入光面１３、１５寄りのサイド領域２２は、少なくともそのＣ領域２２ｃが、有効出射領域２８よりも各入光面１３、１５寄りに位置するように（したがって、「Ｃ＋Ｄ＜Ｚ」となるように）設けられる。
好ましくは、各入光面１３、１５寄りのサイド領域２２は、その全体が有効出射領域２８よりも各入光面１３、１５寄りに位置するように設けられるものであり、この場合、「Ｂ＋Ｃ＋Ｄ＜Ｚ」（言い換えれば、「Ａ＞Ｙ」）となる。
【００３９】
次に、以上のように構成された面状照明装置１０の作用効果を、下表に示す実測例に基づいて説明する。
【００４０】
【表１】
2013089559.tif 000003
【００４１】
ここで、測定に使用した面状照明装置のサンプルＳ１〜Ｓ８において、導光板１２の全長Ｘは１０８ｍｍであり、有効出射領域２８の長さＹは９４ｍｍ（したがって、非有効出射領域２６の長さＺは７mm）に設定した。
また、クロストークは、
クロストーク［％］＝［｛（右側光源点灯時左眼輝度／左側光源点灯時左眼輝度）＋（左側光源点灯時右眼輝度／右側光源点灯時右眼輝度）｝／２］×１００
により定義した。
但し、左側光源点灯時右眼輝度及び左側光源点灯時左眼輝度は、それぞれ、左側画像用光源（例えば、光源１８）が点灯し、右側画像用光源（例えば、光源１７）が消灯している場合の面状照明装置１０における、視覚者の右眼方向の輝度及び左眼方向の輝度である。同様に、右側光源点灯時右眼輝度及び右側光源点灯時左眼輝度は、それぞれ、右側画像用光源１７が点灯し、左側画像用光源１８が消灯している場合の面状照明装置１０における、視覚者の右眼方向の輝度及び左眼方向の輝度である。
【００４２】
上表に示すサンプルＳ１〜Ｓ８において、そのサイド領域２２の長さＢ＋Ｃ＋Ｄは５mm（したがって、センター領域２４の長さＡは９８mm）であり、サイド領域２２の全体が有効出射領域２８よりも入光面１３、１５寄りに設けられている（Ｂ＋Ｃ＋Ｄ＜Ｚ）。
また、サンプルＳ１〜Ｓ８のうち、サンプルＳ２〜Ｓ８が、本実施形態における面状照明装置１０の構成例であり、サイド領域２２に光吸収体３２、３４が形成されている（Ｃ＞０mm)。一方、サンプルＳ１は、サイド領域２２に光吸収体３２、３４が形成されていない（Ｃ＝０mm）比較例である。尚、サンプルＳ２〜Ｓ８において、光吸収体３２、３４は、黒色印刷に相当する。
【００４３】
上表に示すように、サンプルＳ２〜Ｓ８では、サンプルＳ１と比較してクロストークが減少している。この結果は、サンプルＳ２〜Ｓ８では、一方の入光面１３、１５から導光板１２に入射した後、出射面１９から出射されないまま他方の入光面１５、１３に向かって導光される光の少なくとも一部が、他方の入光面１５、１３に到達する前に、他方の入光面１５、１３寄りのＣ領域２２ｃに形成された光吸収体３４、３２によって吸収されることにより、他方の入光面１５、１３で反射された後に出射してクロストークの要因となる光が減少することを示すものである。
【００４４】
さらに、サンプルＳ２〜Ｓ８の比較から、クロストークは、Ｃ領域２２ｃの長さＣ（すなわち、帯状に形成された光吸収体３２、３４の帯幅）を延長する程減少することが分かる。また、サンプルＳ３とＳ４の比較、及び、サンプルＳ５〜Ｓ７の比較から、クロストークは、Ｃ領域２２ｃの長さＣが同一の場合にはＤ領域２２ｄの長さＤが短い程（言い換えれば、光吸収体３２、３４の形成位置を入光面１３、１５に近づける程）減少することが分かる。
【００４５】
さらに、面状照明装置１０は、光吸収体３２、３４を、導光板１２の裏面２０の、有効出射領域２８よりも入光面１３、１５寄りの領域（言い換えれば、非有効出射領域２６の範囲内）に形成したことにより、上述したように、クロストークの要因となる光を効果的に吸収することに加えて、光吸収体３２、３４がない場合には、導光板１２の入光面１３、１５から入射した直後、その入光面１３、１５近傍の非有効出射領域２８から出射されて輝線発生の要因となる光を効果的に吸収することによって、非有効出射領域２６における輝線の発生を抑制し、輝度の均一性を向上させることが可能となる。
【００４６】
また、これによって、導光板１２の出射面１９の入光面１３、１５近傍に存在する非有効出射領域２６の長さＺが短縮され、所定の長さＹの有効出射領域２８を確保するために必要な導光板１２の全長Ｘを短縮することが可能であるため、面状照明装置１９の小型化に寄与するものである。
【００４７】
尚、非有効出射領域２８から出射される光は、従来の面状照明装置において、そもそも照明光としては利用されていなかった光であるため、面状照明装置１０において、導光板１２の入光面１３、１５から入射した直後、その入光面１３、１５寄りのＣ領域２２ｃに形成された光吸収体３２、３４によって吸収される光が存在しても、面状照明装置１０における照明光の輝度は、従来の面状照明装置と比較して殆ど低下することはない。
【００４８】
ここで、サンプルＳ２〜Ｓ８の比較から、クロストークの減少の効果のみに着目すれば、サイド領域２２の全体に光吸収体３２、３４を形成する構成（サンプルＳ８）ことが望ましい。但し、面状照明装置１０において、サイド領域２２に光吸収体３２、３４が形成されない平坦面であるＢ領域２２ｂ及びＤ領域２２ｄを設けることには、次のような効果がある。
【００４９】
すなわち、サイド領域２２に、平坦面部分（Ｂ領域２２ｂ及びＤ領域２２ｄのいずれか一方または両方）が含まれる場合には、一方の入光面１３、１５から入光後、サイド領域２２の平坦面部分に到達した光は、そのサイド領域２２に対向する非有効出射領域２６から出射されることなく、他方の入光面１５、１３に向けて導光されることになる。したがって、このような平坦面部分は、クロストークに関しては、その要因となる光を増大させる方向に作用するものの、光吸収体３２、３４が形成されたＣ領域２２ｃと同様に、非有効出射領域２６から出射される光を減少させ、輝度の均一性を向上させる効果を奏する。加えて、光吸収体３２、３４が形成されたＣ領域２２ｃとは異なる特徴として、このような平坦面部分は、サイド領域の平坦面部分に到達した光を、吸収するのではなく、他方の入光面１５、１３に向けて導光させるものであるため、有効出射領域２６の輝度を向上させる効果を奏するものである。
【００５０】
尚、サイド領域２２にＢ領域２２ｂが存在する場合には、Ｂ領域２２ｂも含めてサイド２２領域全体を、有効出射領域２８よりも入光面１３、１５寄りに設ける（すなわち、「Ｂ＋Ｃ＋Ｄ＜Ｚ」とする）ことによって、輝度の均一性が一層向上することが、本発明者等によって確認されている。
【００５１】
このように、面状照明装置１０において、サイド領域２２の長さ「Ｂ＋Ｃ＋Ｄ」が一定の場合、その長さに対するＣ領域２２ｃの長さＣの割合が大きい程、クロストークの低減の効果は大きく、B領域及びD領域の長さ「Ｂ＋Ｃ」の割合が大きい程、輝度の向上の効果は大きい。したがって、面状照明装置１０において、サイド領域の長さ「Ｂ＋Ｃ＋Ｄ」に対するＣ領域２２ｃの長さＣの割合は、このような効果のバランスを勘案の上、適切に設定されるものである。
【００５２】
ここで、図１を参照して上述した面状照明装置１０では、光吸収体３２、３４は、導光板１２の裏面２０に形成されるものとしたが、本発明に係る面状照明装置において、光吸収体３２、３４は、導光板１２の出射面１９に形成されるものであっても、あるいは、導光板１２の出射面１９と裏面２０の両方に形成されるものであってもよく、これによって、面状照明装置１０に関連して上述した作用効果と同等の作用効果を奏するものである。
【００５３】
また、面状照明装置１０は、非有効出射領域２６の上方（及び、好ましくは、光源１７、１８の上方）を覆うように配置された遮光シートを備えるものであってもよい。
【符号の説明】
【００５４】
１０：面状照明装置、１２：導光板、１３，１５：入光面、１４：両面プリズムシート、１６：光学シート、１７，１８：光源、１９：出射面、２０：裏面、２２：サイド領域、２２ｂ：Ｂ領域、２２ｃ：Ｃ領域、２２ｄ：Ｄ領域、２４：センター領域、２６：非有効出射領域、２８：有効出射領域、３２、３４：光吸収体
【図１】
2013089559.tif 000004
【図２】
2013089559.tif 000005